(57)【要約】【課題】  直感的な操作を容易に実現可能なウェアラブル端末装置及びウェアラブル端末装置の制御方法等を提供すること。【解決手段】  ウェアラブル端末装置１００は、オブジェクトを表示する表示部１２０と、表示部１２０が設けられる筐体１６０と、筐体１６０に設けられるベゼル１５０と、ベゼル１５０に設定された複数の設定位置のいずれかを押下する押下操作を検出する検出部１３０と、複数のコマンドのうち、検出部１３０での検出結果に基づいて特定されたコマンドを実行する処理部１１０を含む。【選択図】      図１
2017079038.tif 000002
【特許請求の範囲】
【請求項１】
オブジェクトを表示する表示部と、
前記表示部が設けられる筐体と、
前記筐体に設けられるベゼルと、
前記ベゼルに設定された複数の設定位置のいずれかを押下する押下操作を検出する検出部と、
複数のコマンドのうち、前記検出部での検出結果に基づいて特定されたコマンドを実行する処理部と、
を含むことを特徴とするウェアラブル端末装置。
【請求項２】
請求項１において、
前記検出部は、
前記ベゼルの位置姿勢を検出することで、前記複数の設定位置のいずれが押下されたかを検出することを特徴とするウェアラブル端末装置。
【請求項３】
請求項１又は２において、
前記処理部は、
前記検出部の検出結果に基づいて、前記ウェアラブル端末装置の複数のモードのいずれかのモードを選択するモード選択コマンドを実行することを特徴とするウェアラブル端末装置。
【請求項４】
請求項１乃至３のいずれかにおいて、
前記処理部は、
前記検出部の検出結果に基づいて、前記表示部に表示されるオブジェクトの回転コマンド、移動コマンド、サイジングコマンドの少なくとも１つのコマンドを実行することを特徴とするウェアラブル端末装置。
【請求項５】
請求項１乃至４のいずれかにおいて、
前記処理部は、
前記検出部の検出結果に基づいて、音量調整コマンドを実行することを特徴とするウェアラブル端末装置。
【請求項６】
請求項１乃至５のいずれかにおいて、
前記表示部は、
第１のオブジェクトを表示している場合に、前記第１のオブジェクトにおいて、前記押下操作により前記ウェアラブル端末装置の前記複数のコマンドのいずれのコマンドが実行されるかをガイドするガイド表示を行うことを特徴とするウェアラブル端末装置。
【請求項７】
請求項６において、
前記複数の設定位置である第１〜第Ｎ（Ｎは２以上の整数）の設定位置のうちの第ｉ（ｉは１≦ｉ≦Ｎを満たす整数）の設定位置が押下されたことが検出された場合に、前記処理部が、前記第ｉの設定位置に対応づけられた第ｉのコマンドを実行する場合に、
前記表示部は、
前記第ｉの設定位置に対応する表示位置に、前記第ｉのコマンドに対応するガイドオブジェクトを表示することを特徴とするウェアラブル端末装置。
【請求項８】
請求項７において、
前記処理部は、
前記オブジェクトの種類に基づいて、前記ガイドオブジェクトの表示位置、表示数及び表示態様の少なくとも１つを設定し、
前記表示部は、
設定された前記ガイドオブジェクトを表示することを特徴とするウェアラブル端末装置。
【請求項９】
オブジェクトを表示する表示部と、前記表示部が設けられる筐体と、前記筐体に設けられるベゼルと、を有するウェアラブル端末装置の制御方法であって、
前記ベゼルに設定された複数の設定位置のいずれかを押下する押下操作を検出し、
検出結果に基づいて、前記ウェアラブル端末装置の複数のコマンドから特定されたコマンドを実行する、
ことを特徴とするウェアラブル端末装置の制御方法。
【発明の詳細な説明】
【技術分野】
【０００１】
本発明は、ウェアラブル端末装置及びウェアラブル端末装置の制御方法等に関する。
【背景技術】
【０００２】
近年の情報機器の小型化により、手のひらサイズ（パームトップ型）の端末が出現している。さらには腕時計型等のウェアラブル端末装置も広く知られている。これらの端末では、表示画面に触れることによって操作を行なう、いわゆるタッチパネルを備えたものがある。
【０００３】
ウェアラブル端末装置の表示画面（タッチパネル）は小さく、指やタッチペンでの操作は容易ではない。例えば、タッチしている部分が指等により隠れてしまったり、意図する箇所をタッチできなかったりといった問題が生じうる。
【０００４】
これに対して、例えば特許文献１では、表示画像上にポインタを表示し、端末自体をスライドさせることで当該ポインタを移動させる手法が開示されている。
【先行技術文献】
【特許文献】
【０００５】
【特許文献１】特開２００２−４１２３５号公報
【特許文献２】特開２０１４−８９９１７号公報
【発明の概要】
【発明が解決しようとする課題】
【０００６】
ＧＵＩ（ポインタ）をハード（端末）に追従させるような操作方法では、ＧＵＩの追従性の感度がユーザーによって異なるため、意図する方向に意図する速度で操作できない場合がある。ここでのＧＵＩの追従性とは、ポインタ等の動く方向や動く速度を表す。
【０００７】
また、そもそも小さい表示画面中に表示されるポインタの位置を視認することは難しい。このように、特許文献１等の従来の操作手法は直感的で容易なものとは言えなかった。
【０００８】
本発明の幾つかの態様によれば、直感的な操作を容易に実現可能なウェアラブル端末装置及びウェアラブル端末装置の制御方法等を提供できる。
【課題を解決するための手段】
【０００９】
本発明の一態様は、オブジェクトを表示する表示部と、前記表示部が設けられる筐体と、前記筐体に設けられるベゼルと、前記ベゼルに設定された複数の設定位置のいずれかを押下する押下操作を検出する検出部と、複数のコマンドのうち、前記検出部での検出結果に基づいて特定されたコマンドを実行する処理部と、を含むウェアラブル端末装置に関係する。
【００１０】
本発明の一態様では、ベゼルに設定された複数の設定位置のいずれが押下されたかの検出結果に基づいてコマンドを実行する。これにより、例えばベゼルの各設定位置の押下を、それぞれ異なる操作として取り扱うことができるため、ウェアラブル端末装置の直感的でわかりやすい操作を実現すること等が可能になる。
【００１１】
また、本発明の一態様では、前記検出部は、前記ベゼルの位置姿勢を検出することで、前記複数の設定位置のいずれが押下されたかを検出してもよい。
【００１２】
これにより、ベゼルの位置姿勢に基づいて、いずれの設定位置が押下されているかを検出することが可能になる。
【００１３】
また、本発明の一態様では、前記処理部は、前記検出部の検出結果に基づいて、前記ウェアラブル端末装置の複数のモードのいずれかのモードを選択するモード選択コマンドを実行してもよい。
【００１４】
これにより、モード選択を行う操作インタフェースにベゼルを用いること等が可能になる。
【００１５】
また、本発明の一態様では、前記処理部は、前記検出部の検出結果に基づいて、前記表示部に表示されるオブジェクトの回転コマンド、移動コマンド、サイジングコマンドの少なくとも１つのコマンドを実行してもよい。
【００１６】
これにより、ベゼルの操作に基づいて、表示オブジェクトに対する種々のコマンドを実行することが可能になる。
【００１７】
また、本発明の一態様では、前記処理部は、前記検出部の検出結果に基づいて、音量調整コマンドを実行してもよい。
【００１８】
これにより、ベゼルの操作に基づいて、音量調整を行うことが可能になる。
【００１９】
また、本発明の一態様では、前記表示部は、第１のオブジェクトを表示している場合に、前記第１のオブジェクトにおいて、前記押下操作により前記ウェアラブル端末装置の前記複数のコマンドのいずれのコマンドが実行されるかをガイドするガイド表示を行ってもよい。
【００２０】
これにより、ベゼルに対する操作と、当該操作により実行されるコマンドとの対応関係が表示画像上でガイドされるため、わかりやすいインターフェースを実現することが可能になる。
【００２１】
また、本発明の一態様では、前記複数の設定位置である第１〜第Ｎ（Ｎは２以上の整数）の設定位置のうちの第ｉ（ｉは１≦ｉ≦Ｎを満たす整数）の設定位置が押下されたことが検出された場合に、前記処理部が、前記第ｉの設定位置に対応づけられた第ｉのコマンドを実行する場合に、前記表示部は、前記第ｉの設定位置に対応する表示位置に、前記第ｉのコマンドに対応するガイドオブジェクトを表示してもよい。
【００２２】
これにより、設定位置に対応する表示位置にガイドオブジェクトを表示することで、設定位置の押下操作により実行されるコマンドを、表示画像上でガイドすることが可能になる。
【００２３】
また、本発明の一態様では、前記処理部は、前記オブジェクトの種類に基づいて、前記ガイドオブジェクトの表示位置、表示数及び表示態様の少なくとも１つを設定し、前記表示部は、設定された前記ガイドオブジェクトを表示してもよい。
【００２４】
これにより、表示画像ごとに適切なガイドオブジェクトの表示を行うことが可能になる。
【００２５】
また、本発明の他の態様は、オブジェクトを表示する表示部と、前記表示部が設けられる筐体と、前記筐体に設けられるベゼルと、を有するウェアラブル端末装置の制御方法であって、前記ベゼルに設定された複数の設定位置のいずれかを押下する押下操作を検出し、検出結果に基づいて、前記ウェアラブル端末装置の複数のコマンドから特定されたコマンドを実行するウェアラブル端末装置の制御方法に関係する。
【図面の簡単な説明】
【００２６】
【図１】本実施形態のウェアラブル端末装置の構成例（ハードウェア構成例）。
【図２】ウェアラブル端末装置の外観斜視図。
【図３】ウェアラブル端末装置の平面図。
【図４】ウェアラブル端末装置の断面図。
【図５】ベゼルの操作例。
【図６】ウェアラブル端末装置の他の断面図。
【図７】図７Ａ、図７Ｂは基部に対するベゼルの位置姿勢を説明する図。
【図８】設定位置の設定例。
【図９】表示画面の例。
【図１０】表示画面の変化例。
【図１１】モード内での設定コマンド実行時における表示画像の変化例。
【図１２】モード内での設定コマンド実行時における表示画像の変化例。
【図１３】モード内での設定コマンド実行時における表示画像の変化例。
【図１４】設定モードにおける表示画像の例。
【図１５】図１５Ａ〜図１５Ｃはモード内での設定コマンド実行時における表示画像の変化例。
【図１６】モード内での設定コマンド実行時における表示画像の変化例。
【図１７】コマンド特定情報のデータ構造の例。
【発明を実施するための形態】
【００２７】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００２８】
１．本実施形態の手法
１．１  背景
まず本実施形態の手法について説明する。上述したように、近年では情報機器の小型化が進み、ユーザーの身体に装着されるウェアラブル型の情報機器も広く知られるようになった。このようなウェアラブル端末装置は、多様な機能を有することが想定される。例えば腕時計型の端末装置であっても、時刻やタイムウォッチ、アラームと言った一般的な時計機能だけでなく、生体情報や活動量情報、環境情報の取得や表示といった機能を有するものがある。ここでの生体情報とは、例えば脈拍数や血中酸素飽和度等のユーザーの生体活動に関する情報であり、活動量情報とは、例えば歩数や消費カロリー等のユーザーの活動（行動）に関する情報であり、環境情報とは、現在位置や高度、気圧等のユーザーの周囲の環境状態に関する情報である。
【００２９】
多機能なウェアラブル端末装置において、その機能を適切に利用するためには、操作インターフェースを慎重に検討する必要がある。なぜなら、モード（機能）の数が多ければ、どのモードを選択するか（どの機能を利用するか）の選択肢が多いため、当該選択肢の中から所望のモードを迅速に選択できるインターフェースが必要となる。
【００３０】
また、各モードにおける設定（処理）も多様となる。例えば、ストップウォッチであれば、スタート、ストップ、リセット、ラップ取得といった設定が行われるし、ログデータの表示モードであれば１日のログ表示と、より短期的な数時間といったログ表示（或いはより長期的なログ表示）との切り替え設定等が行われる。このように、各モードで多数の設定が可能な状況において、直感的でわかりやすいインターフェースを実現するには、ウェアラブル端末装置１００の多様な操作を可能とすることが求められる。例えば、所与の設定を行うための操作と、他の設定を行うための操作が重複する（同じ操作となる）ことがないような設計が必要となる。
【００３１】
これに対して、近年のウェアラブル端末装置では、タッチパネルを操作インターフェースとして採用したものが知られている。タッチパネルでは、タッチした位置を検出可能であるため、直感的な操作が可能である。例えば、多様なモードがある場合にも、各モードに対応するアイコンを一覧表示し、ユーザーに対しては所望のアイコンをタッチする操作を行わせればよい。また、各モード内の設定についても、タッチ位置に応じて異なる設定を行ったり、多様なタッチ操作（シングルタッチ、マルチタッチ、フリック等）を各設定に割り当てる等、種々の手法により実現できる。
【００３２】
しかし、ウェアラブル端末装置ではタッチパネルの大きさが非常に小さいことが想定される。例えば腕時計の文字盤のサイズを考えればわかるように、腕時計型であればタッチパネルのサイズは縦横がそれぞれ数ｃｍ程度となる。そのため、タッチしようとした指等で画面が見えなくなったり、意図とは異なる箇所をタッチしてしまうおそれがある。
【００３３】
特に、生体情報や活動量情報を取得するウェアラブル端末装置では、運動中のような比較的激しい活動を行っている状態での使用も想定しなくてはならない。例えば、ランニング中にラップタイムを計る、運動強度の確認のために脈拍数を表示する、移動距離を表示するといった設定をウェアラブル端末装置に実行させることは有用であり、ユーザーはそのための操作を行う必要がある。その場合、体を動かしながら操作を行うため、タッチパネルを用いたのでは誤操作の可能性が高まってしまう。
【００３４】
そのため、タッチパネルではなく、機械的な構造を有するインターフェースを利用することが望ましい。機械的な構造であれば、ボタンの押下、回転部材の回転、スティック状の部材のスライド等、どのような形式を用いるにせよ、操作にはある程度の力が必要になるし、有効な操作が行われた際（例えばボタンが充分に押下された際）には、感触の変化という物理的フィードバックがユーザーに対して行われる。これにより、運動中等であっても、ウェアラブル端末装置に対する操作を確実に、正確に行うことが可能である。
【００３５】
従来の腕時計型機器（多機能腕時計）では、例えば押し込み型のモード選択ボタンを設け、当該モード選択ボタンの一回の押下により、モードが１つずつ切り替わっていくインターフェース等が知られている。しかし、このような操作インターフェースでは、モード数が多くなった場合に、所望のモードを選択するためにボタンを何度も押し込まなくてはならないといった状況が生じ、好ましくない。これは腕時計型機器に設けられる物理ボタンの数が少なく、モード選択に関してボタンを１つしか用いることができないこと、広義には多様な操作ができないことに起因する課題である。
【００３６】
特に、近年のウェアラブル端末装置は、直接的或いは間接的にネットワークに接続して情報を取得可能なものが多い。例えば、ウェアラブル端末装置自体がインターネット等のネットワークを介した通信を行う通信部を有してもよい。或いは、ネットワークを介した通信を行う他の機器（例えばＰＣやスマートフォン）と、有線ケーブルや近距離無線通信を用いて接続し、上記他の機器を介してネットワークから情報を取得してもよい。この場合、ファームウェアアップデート等により、ウェアラブル端末装置の機能（モード）の追加が行われることもあり、モード選択ボタンを用いたインターフェースは、より煩雑なものとなってしまう。
【００３７】
また、従来の腕時計でも、回転ベゼルの回転によりモード選択を行う腕時計が開示されている。このような時計では、複数のモードの中から所望のモードを迅速に、直感的に選択することが可能である。しかし従来手法では、回転ベゼルの状態とモードとの関係が固定である。例えば回転ベゼルの各回転位置に「ＴＩＭＥ」や「ＳＴＯＰＷＡＴＣＨ」等の文字を物理的に記載（刻印或いは印刷等）しており、「ＴＩＭＥ」と記載された回転位置を選択した場合には、必ず時刻表示モードとなる。このような従来手法は、アップデート等による機能の追加、更新を考慮した場合に適切なインターフェースとは言えない。
【００３８】
特許文献１のように、機械的な構造（ハードウェア）と、ポインター（ＧＵＩ）とを組み合わせる手法も提案されているが、ハードウェアをどれだけ動かしたら画面上でポインタがどれだけ移動するかに関する感覚は個人差が大きく、調整が煩雑である。また、小さい画面上に表示されるポインタを所望の位置に移動させることは困難であり、利便性の高いインターフェースとは言えない。特に、運動中であればポインタ位置の確認や、狙った位置への移動は困難を極める。
【００３９】
１．２  本実施形態の概要
以上を踏まえ、本出願人は機械的な構造であり、且つ多様なモード（機能）にも対応可能なインターフェースを有するウェアラブル端末装置を提案する。
【００４０】
具体的には、本実施形態に係るウェアラブル端末装置１００は図１に示すように、オブジェクト（表示オブジェクト）を表示する表示部１２０と、表示部１２０が設けられる筐体１６０（図２〜図４を用いて後述）と、筐体１６０に設けられる操作部または回転部としてのベゼル１５０と、ベゼル１５０に設定された複数の設定位置のいずれかを押下する押下操作を検出する検出部１３０と、複数のコマンドのうち、検出部１３０での検出結果に基づいて特定されたコマンドを実行する処理部１１０と、を含む。
【００４１】
表示部１２０（ディスプレイ）は、各種の表示を行うためのものであり、例えば液晶ディスプレイや有機ＥＬディスプレイなどにより実現できる。筐体１６０は、ウェアラブル端末装置１００の本体部に相当する部材であり、表示部１２０や、ベゼル１５０等の操作部が設けられる。また、筐体１６０は処理部１１０を内蔵してもよく、例えば処理部１１０が実装される基板（回路基板）を内部に含んでもよい。
【００４２】
ここで、オブジェクトとは表示対象物を表すものであり、数字、文字、文字列、図形、アイコン、画像（背景画像含む）等、種々の形態が考えられる。例えば、後述する識別オブジェクトも本実施形態に係るオブジェクトに含まれる。或いは、複数のオブジェクトを結合して１つの画像（表示画像）を生成してもよく、この場合のオブジェクトとは表示画像を構成する要素である。例えば、複数のレイヤーの結合により表示画像が生成される場合において、オブジェクトとは各レイヤーに配置される要素であり、各レイヤーは１又は複数のオブジェクトを含んで構成されることになる。オブジェクトは、例えば表示部１２０における表示位置、及び表示内容（表示形態）が規定された情報として記憶部１４０に記憶されてもよい。また、オブジェクトは表示部１２０の表示領域全体に表示されるものには限定されず、その一部を用いて表示されてもよい。言い換えれば、表示部１２０のサイズ（解像度）と、オブジェクトのサイズ（解像度）は一致しなくてもよい。以下、オブジェクトは表示画像であり、当該表示画像は表示部１２０の全体を用いて表示される例について主に説明するが、ここで述べたようにオブジェクトは種々の変形実施が可能である。
【００４３】
ベゼル１５０は、筐体１６０（狭義には表示部１２０）の枠に相当する部材であり、筐体１６０の周縁部、特に表示部１２０の外周に相当する位置に設けられる。特に、本実施形態に係るベゼル１５０は、当該ベゼル１５０内に設定された複数の位置（複数の設定位置）を押下可能に構成される。具体的には、設定位置として第１〜第Ｎ（Ｎは２以上の整数）の設定位置が設定された場合に、第ｉ（ｉは１≦ｉ≦Ｎを満たす整数）の設定位置の押下と、第ｊ（ｊは１≦ｊ≦Ｎ且つｊ≠ｉを満たす整数）の設定位置の押下を識別可能に構成される。具体的には、図２のようにＮ個の独立して可動する部材によりベゼルを構成してもよいし、図６のように基部１６２に対して少なくともベゼル１５０部分が傾斜可能な筐体１６０を用い、当該傾斜を傾斜センサーである検出部１３０により検出してもよい。ベゼル１５０の詳細な構成については後述する。
【００４４】
処理部１１０は、ウェアラブル端末装置１００におけるコマンド実行等の種々の処理を行う。処理部１１０は、ＣＰＵ（Central Processing Unit）、ＧＰＵ（Graphics Processing Unit）、ＤＳＰ（Digital Signal Processor）、或いはＡＳＩＣ（application specific integrated circuit）によるハードウェア回路等、種々の構成により実現されるプロセッサーであってもよい。
【００４５】
検出部１３０により特定されるコマンドは、例えばウェアラブル端末装置１００の複数のコマンドがあらかじめ規定されている状況において、当該複数のコマンドのうちの特定された少数（狭義には１つ）のコマンドであってもよい。ウェアラブル端末装置１００のコマンドとは、ウェアラブル端末装置１００において実行される特定の処理（或いは当該処理の実行命令）を表すものである。本実施形態に係るウェアラブル端末装置１００の場合、コマンドの具体例としてはモード選択コマンド、画像処理コマンド、音量調整コマンド等が考えられる。モード選択コマンドが実行されることで、モード選択（遷移）が行われるように、各コマンドの実行により、当該コマンドに対応する処理がウェアラブル端末装置１００において実行されることになる。
【００４６】
また、図１に示したようにウェアラブル端末装置１００は記憶部１４０（メモリー）を含んでもよい。記憶部１４０は、処理部１１０等のワーク領域となるもので、その機能はＲＡＭ等のメモリーやＨＤＤ（ハードディスクドライブ）などにより実現できる。記憶部１４０に記憶される情報の具体例は、図１７を用いて後述する。コマンドの実行等の処理部１１０での処理は、記憶部１４０に記憶された情報の読み出し及び書き込みを伴うものであってもよい。処理部１１０（プロセッサー）で行われる本実施形態の各処理は、記憶部１４０（メモリー）に記憶される情報（各種データ又はプログラム）に基づき実行される。
【００４７】
本実施形態の手法によれば、複数の設定箇所のいずれかを押下可能なベゼル１５０を有するウェアラブル端末装置を実現することが可能になる。従来も、回転可能であり操作インタフェースとして利用可能な回転ベゼルが知られていた。しかし本実施形態ではベゼル１５０の回転ではなく、設定位置の押下によりウェアラブル端末装置１００の操作を行うことが可能になり、従来手法とは異なる構成により直感的な操作を実現することが可能になる。ベゼル１５０は表示部１２０の周辺にリング状に設けられることが想定されるため、筐体１６０の中心（表示部１２０の中心）に対して広い角度に設けられる、狭義には３６０度全周に渡って設けられることが想定される。所与の基準方向（例えば文字盤で言う１２時の方向、図２等のＹ軸正方向）と、それとは明らかに異なる方向（例えば文字盤で言う６時の方向、図２等のＹ軸負方向）との両方の位置にベゼル１５０を構成する部材が位置することは一般的と言える。そのため、ベゼル１５０のうち、各方向に位置する領域（部分）を押下可能な操作インターフェースを実現すれば、それらはユーザーにとって明確に異なる操作となり、誤操作を抑止した直感的でわかりやすいインターフェースを実現できる。なお、いくつの設定位置を設けるか（狭義にはベゼル１５０をいくつの領域に分割するか）は種々の変形実施が可能である。設定位置の数が増えれば多様な入力が可能になる反面、所与の設定位置とその隣の設定位置とが狭い領域に密集することになり誤操作の可能性が高まる。そのため、入力の多様性と誤操作の可能性のバランスを考慮した数の設定位置を設けることが好ましい。
【００４８】
また、検出部１３０は、ベゼル１５０の位置姿勢を検出することで、複数の設定位置のいずれが押下されたかを検出してもよい。
【００４９】
これにより、位置姿勢検出センサーである検出部１３０により、複数の設定位置のいずれが押下されたかを検出することが可能になる。ここでの位置姿勢とは、図２等を用いて後述する例であれば、複数の設定位置に対応する複数の部材の各部材が押下されているか否か（Ｚ軸負方向での位置変化）を表すものであるし、図６等の例であれば傾斜方向や傾斜角度を表すものである。
【００５０】
また、処理部１１０は、検出部１３０の検出結果に基づいて、ウェアラブル端末装置１００の複数のモードのいずれかのモードを選択するモード選択コマンドを実行してもよい。
【００５１】
ここで、ウェアラブル端末装置１００のモードとは、ウェアラブル端末装置１００が取り得る状態に対応する。例えば、ウェアラブル端末装置１００が、時刻表示、アラーム、ストップウォッチ、高度の表示、気圧の表示、脈拍数の表示・・・といった種々の状態を有する場合、時刻表示モード、アラームモードと言ったように、各状態に対応してモードが設定されることになる。
【００５２】
モード選択コマンドとは、このような種々のモードを有する場合に、いずれのモードとなるか（いずれのモードに遷移するか）の選択をウェアラブル端末装置１００に行わせる（指示する）コマンドである。各モードでの表示画像の例は図１０〜図１３等を用いて後述し、モードに関するデータの具体例については図１７を用いて後述する。
【００５３】
なお、各モードでは、ベゼル１５０の操作等に基づいて、モード内の設定コマンドが実行されてもよい。モード内の設定コマンドとは、各モードにおいて実行可能な設定をウェアラブル端末装置１００に対して行わせるコマンドである。例えば、高度のログデータを表示するモードの場合、ユーザーの利用状況に応じて、一日分のグラフを表示したい場合もあれば、数時間分のグラフを表示したい場合もあると考えられる。よって、高度表示モードにおいて、グラフのズームアップ設定及びズームダウン設定を可能にするとよく、具体的にはモード内での設定コマンドとしてズームアップコマンド（ズームインコマンド）及びズームダウンコマンド（ズームアウトコマンド）を実行可能にする。なお、時刻表示モードのように、設定コマンドを有さない（この例では表示のみを行う）モードがあることは妨げられない。設定コマンドを実行した場合の表示画像の遷移例については図１１〜図１３等を用いて後述し、設定コマンドの具体例については図１７を用いて後述する。
【００５４】
このようにすれば、ベゼル１５０を用いてモード選択を実行することが可能になる。各設定位置の押下操作と、当該操作により実行されるモード選択コマンドとの関係は種々考えられるため、柔軟な設定が可能である。例えば、ベゼル１５０以外の操作部をできるだけ簡略化するという観点で考えれば、複数の設定位置のうちの一部の設定位置の押下操作をモード選択コマンドの実行に利用し、他の設定位置の押下を各モードでの設定コマンドの実行に利用すればよい。この例については、図１０等を用いて後述する。
【００５５】
或いは、ウェアラブル端末装置１００が他の操作部を有し、設定コマンドの実行を当該他の操作部により行うことができるのであれば、複数の設定位置の多くの位置での押下操作（狭義には全設定位置に対応する押下操作）をモード選択コマンドの実行に利用するといった変形実施も可能である。この場合、所与のモードが選択された状態から、複数の他のモードへ直接的な遷移が可能になるため、迅速なモード遷移を実現可能である。なお、モードを選択するということは実行する機能を選択するということと同義であり、モード選択コマンドは、機能実行コマンドと同義である。
【００５６】
また、処理部１１０は、検出部１３０の検出結果に基づいて、表示部１２０に表示されるオブジェクトの回転コマンド、移動コマンド、サイジングコマンドの少なくとも１つのコマンドを実行してもよい。
【００５７】
ここでの回転コマンド、移動コマンド、サイジングコマンドのとらえ方は種々考えられるが、例えばオブジェクト（狭義には画像）を表示する何らかのモードにおける設定コマンドの一種と考えてもよい。回転コマンドとは、画像を回転させる（基準姿勢に対する回転量を変更する）コマンドであり、移動コマンドとは、表示画像内での画像の表示位置を変更するコマンドであり、サイジングコマンドとは画像の表示サイズを変更するコマンドである。ここでの画像とは、例えば高度等のログ（履歴グラフ）であってもよく、その場合のサイジングコマンドとは、上述したズームアップコマンド、ズームダウンコマンドに対応する。或いは、ウェアラブル端末装置１００の記憶部１４０に記憶された写真やイラスト等の画像データを上記オブジェクトとしてもよい。詳細については図１５Ａ〜図１５Ｃを用いて後述する。
【００５８】
このようにすれば、表示されるオブジェクトに対する種々の処理をわかりやすい操作インターフェースにより実現することが可能になる。
【００５９】
また、処理部１１０は、検出部１３０の検出結果に基づいて、音量調整コマンドを実行してもよい。
【００６０】
ここでの音量とは、ウェアラブル端末装置１００により発生される音（アラーム音、音声、音楽）の大きさを表すものである。このようにすれば、音量を調整する処理をわかりやすい操作インターフェースにより実現することが可能になる。詳細については図１６を用いて後述する。
【００６１】
また、表示部１２０は、第１のオブジェクト（狭義には第１の表示画像）を表示している場合に、第１のオブジェクトにおいて、押下操作によりウェアラブル端末装置１００の複数のコマンドのいずれのコマンドが実行されるかをガイドするガイド表示を行ってもよい。
【００６２】
これにより、ベゼル１５０の押下操作と、当該押下操作により実行されるコマンドとの対応関係を、表示画像上に明示することが可能になる。本実施形態では、複数の押下操作（複数の設定位置の押下操作）が可能であるため、ベゼル１５０による操作が多様である。また、上述してきたように、ウェアラブル端末装置１００自体のコマンドも多数あることが想定され、操作とコマンドの対応関係の把握をユーザーに委ねたのではユーザー負担が大きい。その点、表示画像上にガイド表示を行えば、ユーザーにとってわかりやすいインターフェースを実現可能である。さらに、ウェアラブル端末装置１００自体にガイド表示の印刷等を行うわけではないため、コマンドの更新処理等が行われた場合にも、適切なガイド表示を行うことができる。
【００６３】
また、複数の設定位置である第１〜第Ｎ（Ｎは２以上の整数）の設定位置のうちの第ｉ（ｉは１≦ｉ≦Ｎを満たす整数）の設定位置が押下されたことが検出された場合に、処理部１１０が、第ｉの設定位置に対応づけられた第ｉのコマンドを実行してもよい。そしてその場合に、表示部１２０は、第ｉの設定位置に対応する表示位置に、第ｉのコマンドに対応するガイドオブジェクトを表示してもよい。
【００６４】
ここで、ガイドオブジェクトは、コマンドのガイド、あるいは機能の説明に利用される表示オブジェクトであり、種々の形態のオブジェクトを利用することが可能である。図１０のＣ２５等を用いて後述するように文字情報を用いてもよいし、図１４のＧ３、Ｇ４等を用いて後述するようにコマンド内容を表示するアイコン（図形等）を表示してもよい。
【００６５】
このようにすれば、まず所与の設定位置の押下操作と所与のコマンドとを対応付けることが可能になる。具体的な対応づけについては図１７等の情報を用いればよく、詳細については後述する。本実施形態では、このような対応づけに基づいて、所与の設定位置に対応付けられたコマンドに関する情報を、当該設定位置に対応する表示位置に表示する。ここでの「設定位置に対応する表示位置」とは表示画像のうち、設定位置に対応する位置（領域）を表すものであり、例えば表示画像の中心（表示部１２０の中心）に対して、設定位置の方向に対応する方向の領域であってもよい。Ｙ軸正方向側の設定位置に対応する表示領域としては、表示画像のうちＹ軸正方向側の領域を用いればよく、狭義には表示画像の周縁領域のうちのＹ軸正方向側の領域である。
【００６６】
また、処理部１１０は、オブジェクトの種類に基づいて、ガイドオブジェクトの表示位置、表示数及び表示態様の少なくとも１つを設定し、表示部１２０は、設定されたガイドオブジェクトを表示してもよい。なお、本実施形態の「オブジェクト」とは、広義にはガイドオブジェクトを含む概念である。ただし、ガイドオブジェクトの表示位置等を設定するためのオブジェクトとは、広義のオブジェクトのうちの、ガイドオブジェクト以外のオブジェクトを考えてもよい。例えば、オブジェクトの集合としてガイドオブジェクトを含む１つの表示画像が形成される場合において、当該ガイドオブジェクトの表示位置等は、表示画像を構成するガイドオブジェクト以外のオブジェクトの種類に基づいて設定される。
【００６７】
これにより、オブジェクト（具体的には表示画像）に応じたガイドオブジェクトの表示を行うことが可能になる。例えば、ウェアラブル端末装置１００が複数のモードを有する場合、各モードに応じた表示画像が表示される。そして、各モードでは実行可能な設定コマンドが異なることから、ガイドすべきコマンド（設定コマンド）の数も種類も異なる。さらに、設定コマンドの数や種類が異なれば、当該設定コマンドとベゼル１５０の設定位置との対応関係も異なる。ストップウォッチモードであれば、実行可能な設定コマンドはスタート、ストップ、リセット、ラップの各コマンドであるし、高度表示モードであれば、実行可能な設定コマンドはズームアップ、ズームダウンであり、各コマンドの設定位置への割り当ては種々考えられる。結果として、図１０〜図１３を用いて後述するように、ガイドオブジェクト（図１０等ではアルファベットを利用した文字列）として、その表示位置や数、表示態様（ここでは文字列の内容）を異なるものとすることで、表示画像（ここではモードに対応）に応じた適切なガイドを行うことが可能になる。
【００６８】
ただし、変形実施としてガイドオブジェクトの種類に基づいて、ガイドオブジェクトの表示位置、表示数及び表示態様の少なくとも１つを設定することは妨げられない。例えば、ガイドオブジェクトが複数設定される場合に、所与のガイドオブジェクトの種類に基づいて、他のガイドオブジェクトの表示位置等を設定してもよい。
【００６９】
２．構造例
図２〜図４に、本実施形態に係るウェアラブル端末装置１００の構造例を示す。以下では腕時計型の装置について説明を行うが、本実施形態のウェアラブル端末装置１００はこれに限定されず、ユーザーの他の部位、たとえば手首、上腕、腕、体幹部に装着される装置であってもよい。図２がウェアラブル端末装置１００がユーザーに装着された状態での斜視図であり、図３が平面図であり、図４が図３のＡ−Ａ’での断面図である。
【００７０】
ウェアラブル端末装置１００は、筐体１６０と、表示部１２０と、ベゼル１５０と、表示部１２０の保護部材となるガラス１７０と、ウェアラブル端末装置１００のユーザーへの固定（装着）に用いられるバンド部１８０とを含む。
【００７１】
なお、以下では説明を容易にするために、所与の座標系を用いて方向等を表現する場合がある。具体的には、図２に示したように、ウェアラブル端末装置１００の筐体１６０を基準として座標系を設定し、表示部１２０（文字盤部分）の表示面に交差する方向、あるいは法線方向であって、表示部１２０の表示面側を表面とした場合の裏面から表面へと向かう方向をＺ軸正方向とする。ウェアラブル端末装置１００が被検体に装着された状態では、上記Ｚ軸正方向とは、被検体から筐体１６０へと向かう方向に相当する。また、Ｚ軸に直交する２軸をＸＹ軸とし、特に筐体１６０に対してバンド部１８０が取り付けられる方向をＹ軸に設定する。図２の例では、筐体１６０のうち、Ｙ軸正方向の端点、及びＹ軸負方向の端点において、バンド部１８０との接続が行われる。なお、座標系の設定については、図２以降においても同様とする。あるいは、筐体１６０に対してバンド部１８０が取り付けられる方向をＹ軸とし、当該Ｙ軸に直交し、筐体１６０が体と接触する面の法線に沿う方向をＺ軸、そしてＹ軸及びＺ軸に直交する方向をＸ軸と設定してもよい。
【００７２】
図２〜図４に示したように、ウェアラブル端末装置１００は通常の時計における文字盤に相当する部分に表示部１２０を有し、当該表示部１２０の周縁部に（表示部１２０を囲むように）ベゼル１５０が設けられる。図２等の例では、上記座標系におけるＸＹ平面に沿って表示面が設定されるように、筐体１６０に対して表示部１２０が設けられる。図２〜図４では表示部１２０を円形状としたがこれには限定されず、他の形状であってもよい。
【００７３】
ベゼル１５０は、筐体１６０のうち、ＸＹ平面において表示部１２０の外側になる位置に設けられる。例えば、表示部１２０の中心位置を座標系の原点とした場合、ベゼル１５０は、表示部１２０の端点よりもさらに原点から遠い位置（Ｘ値、Ｙ値の絶対値が大きくなる位置）に設けられる。
【００７４】
ベゼル１５０は、複数の部材（図３の例では第１〜第８の部材１５０−１〜１５０−８）により構成され、当該複数の部材を組み合わせた場合にリング形状、すなわちＸＹ平面での断面形状が同心円状となりＺ軸方向に厚みを有する形状、或いはそれに類する形状を有する。
【００７５】
図４の断面図に示したように、ベゼル１５０を構成する第１〜第８部材１５０−１〜１５０−８は、それぞれが装着時に被検体側となる面（Ｚ軸負方向側の面）に弾性部材１５１（１５１−１〜１５１−８）と、接点１５２（１５２−１〜１５２−８）を有する構造であってもよい。弾性部材１５１は、Ｚ軸方向での力を加えられた場合に、Ｚ軸方向に伸縮可能な構造であり、例えばバネ等により実現される。弾性部材１５１により、ベゼル１５０を構成する各部材１５０−１〜１５０−８は、Ｚ軸方向に押下（押し込み）可能となる。
【００７６】
そして、接点１５２は、各部材１５０−１〜１５０−８が通常の位置（Ｚ軸方向の押し込みが行われない状態での位置）では筐体１６０と接触せず、且つ各部材１５０−１〜１５０−８が押下された状態では筐体１６０と接触するように構成される。例えば、接点１５２を導電部材により構成し、筐体１６０のうち、接点１５２と接触可能な位置に電極１６１（具体的には１５２−１〜１５２−８に対応する８個の電極１６１−１〜１６１−８）を設ける。そして、検出部１３０として当該電極での電気的な特性変化を検出する検出回路を用いればよい。このような構成では、接点１５２と電極１６１の接触状態を検出回路である検出部１３０により検出できるため、ベゼル１５０の各部材１５０−１〜１５０−８の押下を検出可能となる。なお、本実施形態の構成は図４に限定されない。例えば電気的な特性変化ではなく、第１〜第８の部材１５０−１〜１５０−８のＺ軸方向での位置変化を、機械的或いは光学的な手法により検出してもよい。
【００７７】
つまり図２〜図４の例では、ベゼル１５０を８つの領域に分割し、各領域に対する押下操作をそれぞれ異なる操作であるものとして処理を行うことが可能である。すなわち、図２〜図４の例では、ベゼル１５０に対して８つの設定位置が設定されていると考えることができる。なお、ここでの設定位置は各部材１５０−１〜１５０−８に含まれる任意の位置と考えてもよいし、各部材１５０−１〜１５０−８のＸＹ平面での中心位置（重心位置）であると考えてもよいし、各部材１５０−１〜１５０−８の領域全体を設定位置と考えてもよい。言い換えれば、本実施形態に係る設定位置とは、所与の設定位置に対する押下と、他の設定位置に対する押下とが処理部１１０（検出部１３０）において識別可能であればよく、各設定位置は単一の点で定義されてもよいし、領域として定義されてもよい。
【００７８】
図５がベゼル１５０の所与の設定位置を押下する操作イメージ図である。図５に示したように、例えばユーザーの指を用いて所与の設定位置を押下することで、当該設定位置に対応する部材がＺ軸負方向に移動し、接点１５２と筐体の電極１６１が接触する。
【００７９】
また、図４では第１〜第８の部材１５０−１〜１５０−８がＺ軸方向に移動可能な構成を示したがこれには限定されない。図４に示したようにベゼル１５０は外周側（ＸＹ平面において表示部１２０の中心から離れる方向側）の面も露出しているため、外側から内側への押下が可能な構成、すなわち各部材１５０−１〜１５０−８の、表示部１２０の中心方向への移動が可能な構成としてもよい。ただしその場合には、ガラス１７０等、ウェアラブル端末装置１００の他の部材とベゼル１５０との干渉が起こらないように部材の位置関係を考慮するとよい。
【００８０】
また、複数の設定位置の押下が可能なベゼル１５０の構成は図２〜図５には限定されない。例えば、図６に示したように、基部１６２に対して少なくともベゼル１５０が傾斜可能な構成を利用してもよい。図６は図３のＡ−Ａ’に対応する面での断面図である。
【００８１】
図６の例では、筐体１６０は基部１６２と、本体部１６３を含み、基部１６２と本体部１６３とは柱状部材１６４により接続される。柱状部材１６４は球状の部分を含み、当該部分により本体部１６３を各方向に（狭義には全方位に）傾けることが可能になる。本体部１６３には、表示部１２０、ガラス１７０、ベゼル１５０が設けられ、本体部１６３の内部に処理部１１０が実装される回路基板が内蔵される。
【００８２】
図６の構成では、検出部１３０は、基部１６２に対するベゼル１５０の傾斜を検出する。検出部１３０は、特許文献２に開示されているように、傾斜センサーや感圧センサーとして実現される。なお、傾斜の検出は特許文献２の手法に限定されず、広く知られた種々の手法により実現可能であり、本実施形態ではそれらを広く適用可能であるため詳細な説明は省略する。
【００８３】
基部１６２に対するベゼル１５０の傾斜は、例えば図７Ａ、図７Ｂに示すように２つの角度θ及びφにより表現できる。図７Ａは斜視図であり、図７ＢはＸＺ平面での断面図である。なお、図７Ａ、図７Ｂでは、図面を簡略化するため、ベゼル１５０や表示部１２０（ガラス１７０）、本体部１６３等を区別せずに一体として表現している。
【００８４】
θはＺ軸方向に対する回転角である。また、φはＸＹ平面内での回転角であり、図７Ａ、図７Ｂの例ではＹ軸正方向に対する回転角である。基部１６２に対するベゼル１５０（本体部１６３）の傾きベクトルＶを考えた場合に、θはＺ軸正方向とＶのなす角度を考えればよいし、φはＹ軸正方向と、ＶのＸＹ平面への射影ベクトルＶ’のなす角度を考えればよい。傾きベクトルは、例えば柱状部材１６４の長手方向（傾き）を表すベクトルを用いればよく、平常状態（ベゼル１５０が押下されず傾きが生じない場合）には、ＶはＺ軸正方向のベクトルとり、Ｖ’は０となるため、θ＝φ＝０°となる。なお、Ｖは表示部１２０の表示面に対する法線ベクトルと考えることもできる。
【００８５】
図７Ａ、図７Ｂは、ベゼル１５０の押下と、基部１６２に対するベゼル１５０の傾斜との関係を示す図でもある。図７Ａ、図７Ｂからわかるように、ベゼル１５０の所与の位置（図７Ａ、図７ＢではＸ軸負方向側の位置）を押下することで、押下された側のベゼルが下方（Ｚ軸負方向）側に移動し、柱状部材１６４を基準として対称となる位置（Ｘ軸正方向側の位置）が上方（Ｚ軸正方向側）に移動することでベゼル１５０が基部１６２に対して傾斜する。図７Ａ、図７Ｂからわかるように、上記θの大きさは押し込みの大きさ（Ｚ軸負方向側への変位の大きさ）を表し、φは押下が行われたベゼル１５０の位置を表す情報となる。図７Ａ、図７Ｂの例ではφ＝２７０°（−９０°）となるため、Ｙ軸正方向に対して２７０°にある位置、すなわちＸ軸負方向側の位置が押下されたと判定できる。
【００８６】
よって検出部１３０では、θ及びφを用いて、ベゼル１５０のいずれの設定位置が押下されたかを検出すればよい。例えば、θの大きさが所与の閾値以上の場合に押下操作があったと判定する。さらに、押下操作ありと検出された際のφの大きさにより、いずれの設定位置が押下されたかを特定する。図２等のように設定位置が８箇所であり、それらが均等に配置されている例であれば、第１の設定位置は−２２．５°＜φ≦２２．５°（−１８０°＜φ≦１８０°の場合）、第２の設定位置は２２．５°＜φ≦６７．５°、といったように、各設定位置とφについての角度範囲が規定できる。よって、検出部１３０では検出されたφの値と、各設定位置に対応するφの範囲との比較により、いずれの設定位置が押下されたかを検出すればよい。なお、検出部１３０はθとφ（或いはそれに類する情報）を出力するものであり、判定処理を処理部１１０で行う等の変形実施も可能である。
【００８７】
図６、図７Ａ、図７Ｂの構成では、上述したように傾斜方向により押下された設定位置を検出可能であるため、ベゼル１５０は複数の部材により構成される必要はなく、例えば１つの部材により構成されてもよい。
【００８８】
また、図６ではベゼル１５０だけでなく、ガラス１７０や表示部１２０、本体部１６３が基部１６２に対して傾斜可能な構成を示したが、本実施形態では少なくともベゼル１５０が傾斜可能であればよく、例えば本体部１６３は基部１６２に対して固定される（例えば筐体１６０が基部１６２と本体部１６３に分離されない）変形実施が可能である。或いは、図６では基部１６２を筐体１６０の一部としたが、バンド部１８０と筐体１６０とが接点により接続され、基部であるバンド部１８０に対して、ベゼル１５０を含む筐体１６０の全体が傾斜可能な構成としてもよい。
【００８９】
また、図２〜図５、図６〜図７Ｂのいずれにおいても、設定位置はベゼル１５０に対して均等に設定される（隣り合う設定位置間の距離が等しい）ものとしたがこれには限定されない。例えば、図８に示すように、上記φであれば、−２２．５°〜２２．５°、２２．５°〜６７．５°、６７．５°〜１１２．５°、１１２．５°〜１５７．５°、１５７．５°〜２０２．５°（１５７．５°〜１８０°と−１８０°〜−１５７．５°）までは図２と同様に分割し、−２２．５°〜−１５７．５°についてはそれ以上分割せずに１つの領域としてもよい。これは、非均等に６つ（上、右上、右、右下、下、左）の設定位置Ｐ１〜Ｐ６を設ける例といえる。
【００９０】
また、以上ではベゼル１５０の任意の位置での押下操作が、いずれかの設定位置の押下に対応する例を示した。しかし、ベゼル１５０が押下不可能な領域（いずれの設定位置にも対応しない領域）を含んでもよい。
【００９１】
また、図４に示したガラス１７０は、ガラスタイプの静電容量式タッチパネルであってもよい。すなわち、本実施形態に係るウェアラブル端末装置１００は、ガラス１７０をタッチすることによる操作が可能であってもよい。その際、タッチした位置を詳細に検出しようとすると、従来手法と同様の課題が生じてしまう。そのため、ガラス１７０に対する操作は、例えばタッチがされたか否かのみを検出するものであってもよい。このようにすれば、細かい位置検出の精度が要求されないため、誤操作の可能性を抑止できる。本実施形態では、複数の設定位置を押下可能なベゼル１５０という操作インターフェースを有するため、細かい操作はそれらを用いて行えばよい。例えば、複数の選択肢（リスト）の中からベゼル１５０を用いて選択操作を行い、選択された項目を決定する操作をガラス１７０に対するタッチにより行うといった手法が考えられる。
【００９２】
また、図２〜図４等には不図示であるが、ウェアラブル端末装置１００は加速度センサーを有し、当該加速度センサーを用いてタップ操作を検出してもよい。ここでのタップ操作とは、ユーザーが指や手のひらを用いてウェアラブル端末装置１００を叩く操作である。なお、加速度センサーを用いたタップ操作検出は広く知られた手法であるため、詳細な説明は省略する。
【００９３】
３．表示画像例
次に表示部１２０で表示される表示画像例、及び各表示画像とベゼル１５０に対する操作との関係例を説明する。
【００９４】
３．１  モードの例と表示画像、ガイドオブジェクトの例
上述してきたように、近年のウェアラブル端末装置は多機能であることが想定されるため、実行可能なコマンド数が多くなる。そして、本実施形態ではそのような状況でも直感的でわかりやすいインターフェースを実現するため、ベゼル１５０の複数の設定位置の押下を可能にし、多様な入力操作を可能にしている。
【００９５】
しかし、多様な入力操作が可能であることにより、どの操作を行うことで、ウェアラブル端末装置１００にどのようなコマンドを実行させることができるか、という対応関係をユーザーが把握しておくことが困難となる。別途マニュアルを用意したとしても、紙媒体のマニュアルを閲覧する、或いは電子マニュアルを所与の機器（ＰＣ、スマートフォン、ウェアラブル端末装置１００）で閲覧するという行為は煩雑でありユーザー負担が大きい。
【００９６】
そのため、ベゼル１５０に対する押下操作と、ウェアラブル端末装置１００で実行する（或いはされている）コマンドの対応関係を表示画像上に表示することは有用である。
【００９７】
例えば、所与の表示画像（第１の表示画像）を表示部１２０で表示している状態において、ベゼル１５０のいずれの設定位置を押下することで、いずれのコマンドが実行されるかをガイドするガイド表示を、当該表示画像で行ってもよい。
【００９８】
具体的な表示画像例を図９に示す。図９では、図８に示したように６つの設定位置（Ｐ１〜Ｐ６）を押下可能なベゼル１５０を想定している。また、図９や後述する図１０〜図１３等では、ベゼル１５０は一体として構成される例を示すが、図２等に示した複数の分割された部材から構成されるベゼルを用いてもよい。また、図９では設定位置の目安を示す点をベゼル１５０に物理的に設けている（例えば印刷している）が、この点は必須ではない。
【００９９】
ベゼル１５０の設定位置に対応したコマンドのガイドを行う表示画像としては、例えばガイドオブジェクト（識別オブジェクト）を、表示画像のうちの各設定位置に対応する位置に表示すればよい。例えば、表示部１２０が円形状の表示領域を有し、表示画像も円形状である場合、当該円形状の外周に沿った領域（Ｂ１）のうち、設定位置に対応した領域（例えば上記φの範囲に対応する領域）にガイドオブジェクトを配置すればよい。図９では、Ｂ１のうち、Ｐ２に対応する領域、Ｐ４に対応する領域にガイドオブジェクトが配置される例を示している。なお図９では、表示領域のうちのガイドオブジェクトの配置領域以外の領域（周縁部Ｂ１を除いた領域）に、高度表示を行う例を示したが、この部分での具体的な表示内容はモードによって異なるものであり、詳細については図１０〜図１３等を用いて後述する。
【０１００】
ここでのガイドオブジェクトは種々考えられ、例えば図９に示したようにコマンド内容を説明する文字列等を用いることが可能である。
【０１０１】
その際、実行可能なコマンドはモードに依存すると考えられる。例えば上述したように、ストップウォッチモードであれば必要なコマンド（設定コマンド）は、スタート、ストップ等であるし、ログデータを表示するモード（例えば高度モードで表示される履歴グラフ）であれば必要なコマンドはズームアップ、ズームダウン等である。また、このようにモードごとの設定コマンドを利用することで、異なるコマンドに同じ操作を割り当てることも可能になる。例えば、同じ設定位置に対する押下操作であっても、ストップウォッチモードと高度モードとでウェアラブル端末装置１００で実行されるコマンドを変化させることも可能になる。つまり、ガイドオブジェクトの表示内容はモードごとに変化するものであり、各モードで表示画像が異なることを考慮すれば、表示画像ごとにガイドオブジェクトの表示内容（表示数、種類、態様）を変更するとよい。
【０１０２】
図１０に具体的な実現例を示す。図１０の例ではモードとして、時計モード（Ｃ１）、高度モード（Ｃ２）、気圧モード（Ｃ３）、脈波モード（Ｃ４）、ストップウォッチモード（Ｃ５）、アラームモード（Ｃ６）が利用可能となっている。そして、６つの設定位置のうち、左右の２つ（Ｐ３、Ｐ６）をモードの遷移、すなわちモード選択コマンドの実行に用い、他の４つを各モードでの設定コマンドの実行に用いるものとする。
【０１０３】
図１０の例では、Ｐ３の設定位置を押下することで、時計モード→高度モード→気圧モード→脈波モード→ストップウォッチモード→アラームモードの順に遷移し、Ｐ６の設定位置を押下することで上記の逆順でモードが遷移する。また、アラームモードでＰ３が押下された場合に時計モードに遷移し、時計モードでＰ６が押下された場合にアラームモードに遷移してもよい。なお、モードの遷移順は図１０には限定されず種々の並べ替えが可能である。
【０１０４】
各モードでの表示画像について説明する。時刻表示モード（Ｃ１）では、モード名を表す文字列ＴＩＭＥ（Ｃ１１）と、時刻情報（Ｃ１２）と、日付（Ｃ１３）とが表示される。時刻表示モードでは、時刻の表示を行えばよく、モード内での設定コマンドはなくてもよい。そのため、Ｃ１に示した表示画像ではガイドオブジェクトはいずれの設定位置に対応する位置にも表示されていない。
【０１０５】
高度モード（Ｃ２）では、モード名を表す文字列ＡＬＴＩＴＵＤＥ（Ｃ２１）と、高度の現在値情報（Ｃ２２）と、高度のログデータであるグラフ（Ｃ２３）と、時刻情報（Ｃ２４）とが表示される。Ｃ２３のようにログデータを表示する場合、表示対象とする期間を可変とするとよい。よって、設定コマンドとしてはズームアップコマンド及びズームダウンコマンドを実行できるとよい。よって、Ｃ２では、モード選択コマンドの実行に利用するＰ３及びＰ６以外のいずれかの設定位置にズームアップ及びズームダウンの各コマンドを割り当てるとともに、対応する表示位置にガイドオブジェクトを表示する。具体的には、Ｐ２にズームダウンコマンドを割り当て、対応する表示位置にコマンドを説明する文字列（"ZOOM DOWN"）からなるガイドオブジェクト（Ｃ２５）を表示する。同様に、Ｐ４にズームアップコマンドを割り当て、対応する表示位置にコマンドを説明する文字列（"ZOOM UP"）からなるガイドオブジェクト（Ｃ２６）を表示する。
【０１０６】
図１１に、高度モードにおける設定コマンド実行時の表示画面の変化例を示す。Ｄ１は図１０のＣ２と同様の表示画像であり、Ｄ２はＤ１の状態からＰ４の設定位置が押下され、ズームアップコマンドが実行された状態での表示画像を表す。Ｄ２はＤ１のログデータのうち、Ｄ１１に示した部分が拡大表示されている。また、Ｄ２においてＰ２の設定位置が押下されズームダウンコマンドが実行された場合には、Ｄ１の表示画面に戻る。このようにすれば、所望の範囲のデータを適切に閲覧可能なインターフェースを実現できる。なお、図１１では２つのズーム状態間での遷移を示したが、Ｄ２からさらにズームアップを行ったり、Ｄ１からさらにズームダウンを行う等、３段階以上の表示を行ってもよい。また、ここでのズームアップとは、グラフを単純に拡大するものであってもよいが、グラフの粒度を変更するものであってもよい。例えば、ズームアップ時には単位計測時間当たりに表示される棒グラフの数を増やすことで、より細かな数値変化を識別可能なグラフ表示を行ってもよい。
【０１０７】
気圧モード（Ｃ３）では、モード名を表す文字列ＡＩＲ  ＰＲＥＳＳＵＲＥ（Ｃ３１）と、気圧の現在値情報（Ｃ３２）と、気圧のログデータであるグラフ（Ｃ３３）と、時刻情報（Ｃ３４）とが表示される。気圧モードについても、高度モードと同様にズームアップ、ズームダウンを行えばよく、図１０のＣ３では、Ｃ２と同様にＰ２に対応する表示位置にズームダウンコマンドに対応するガイドオブジェクトＣ３５を表示し、Ｐ４に対応する表示位置にズームアップコマンドに対応するガイドオブジェクトＣ３６を表示している。
【０１０８】
脈波モード（Ｃ４）では、モード名を表す文字列ＨＥＡＲＴ  ＲＡＴＥ（Ｃ４１）と、ハート型のアイコン（Ｃ４２）と、脈拍数情報（Ｃ４３）と、脈拍数のゾーンを表すグラフ（Ｃ４４）と、時刻情報（Ｃ４５）とが表示される。ここで、脈拍数のゾーンとは、脈拍数をいくつかの数値範囲に区分した場合に、いずれの範囲に属するかを表す情報である。例えば、安静状態に対応するゾーン、低強度の活動に対応するゾーン、軽い運動状態に対応するゾーン、適切な運動状態（狭義には脂肪燃焼に適した強度での運動状態）に対応するゾーン、激しい運動状態に対応するゾーンを設定し、各ゾーンを三角形或いは台形（Ｃ４４１）で示すとともに、現在の脈拍数がいずれのゾーンに属するかをバー（Ｃ４４２）で示してもよい。Ｃ４では脈波モード内での設定モードがなく、ガイドオブジェクトも表示しない例を示している。
【０１０９】
ストップウォッチモード（Ｃ５）では、モード名を表す文字列ＳＴＯＰ  ＷＡＴＣＨ（Ｃ５１）と、計測時間情報（Ｃ５２）と、時刻情報（Ｃ５３）とが表示される。ストップウォッチモードで実行すべき設定コマンドは、上述したようにスタートコマンド、ストップコマンド、リセットコマンド、ラップコマンド等である。ただし、各コマンドはストップウォッチモードにおいて常時実行可能である必要はない。例えば、計測開始前であれば、スタートコマンドが実行可能であればよく、他のコマンドは実行されない。また、計測中であれば、ストップコマンドとラップコマンドが実行可能であればよいし、計測開始後且つストップ中であれば、スタートコマンド（計測再開）とリセットコマンドが実行可能であればよい。
【０１１０】
図１２にストップウォッチモードにおけるベゼル１５０の押下（設定コマンドの実行）と、表示画面の変化例を示す。Ｅ１は図１０のＣ５と同様の表示画像であり、計測開始前に対応する。Ｅ１では、スタートコマンドが実行可能であればよいため、Ｐ５の設定位置にスタートコマンドを割り当てるとともに、対応する表示位置にスタートコマンドに対応するガイドオブジェクトＥ１１を表示する。
【０１１１】
Ｅ１の状態でＰ５の設定位置が押下された場合、計測状態に移行する。計測状態での表示画像例がＥ２である。計測状態ではストップコマンドとラップコマンドを実行可能であればよいため、Ｐ５の設定位置にストップコマンドを割り当てるとともに、対応する表示位置にストップコマンドに対応するガイドオブジェクトＥ２１を表示し、Ｐ２の設定位置にラップコマンドを割り当てるとともに、対応する表示位置にラップコマンドに対応するガイドオブジェクトＥ２２を表示する。なお、Ｅ１、Ｅ２に示したように、スタートコマンドとストップコマンドを同じ設定位置に割り当てることで一般的なストップウォッチと同様の操作性を実現しているが、割り当てはこれに限定されるものではない。
【０１１２】
また、計測状態でＰ５の設定位置が押下された場合、計測開始後且つストップ中の状態に移行する。この場合の表示画面例がＥ３である。Ｅ３では計測再開を意味するスタートコマンドと、計測時間をリセットするリセットコマンドを実行可能であればよい。Ｅ３では、Ｐ５の設定位置にスタートコマンドを割り当てるとともに、対応する表示位置にスタートコマンドに対応するガイドオブジェクトＥ３１を表示し、Ｐ１の設定位置にリセットコマンドを割り当てるとともに、対応する表示位置にリセットコマンドに対応するガイドオブジェクトＥ３２を表示する。
【０１１３】
アラームモード（Ｃ６）では、モード名を表す文字列ＡＬＡＲＭ（Ｃ６１）と、アラーム設定時刻（Ｃ６２）と、時刻情報（Ｃ６３）とが表示される。ストップウォッチモードで実行すべき設定コマンドは、アラームのオンオフを制御するオンコマンドとオフコマンドである。Ｃ６ではＰ１に対応する表示領域にオフコマンドに対応するガイドオブジェクトＣ６４を表示し、Ｐ５に対応する表示領域にオフコマンドに対応するガイドオブジェクトＣ６５を表示している。
【０１１４】
アラームモードでは、オン状態であるかオフ状態であるかをガイドオブジェクトＣ６４，Ｃ６５の大小で表示してもよい。図１０のＣ６では、Ｃ６５のガイドオブジェクトのサイズをＣ６４のガイドオブジェクトより大きくすることで、現在アラームはオン状態にあることを示している。
【０１１５】
図１３にアラームモードにおけるベゼル１５０の押下（設定コマンドの実行）と、表示画面の変化例を示す。Ｆ１は図１０のＣ６と同様の表示画像であり、オフ状態に対応する。Ｆ１でＰ１の設定位置が押下されオフコマンドが実行された場合には、アラームがオフとなるとともに、表示画像はＦ２に遷移する。Ｆ２ではＦ２１のガイドオブジェクト（Ｃ６４に対応するオフコマンドを表すオブジェクト）のサイズを、Ｆ２２のガイドオブジェクト（Ｃ６５に対応するオンコマンドを表すオブジェクト）より大きくすることで、現在アラームはオフ状態にあることを示している。
【０１１６】
３．２  設定モード
より重要な設定、例えばユーザーが意図していないのに変更されることで問題が生じうる設定を行う場合には、別途設定専用のモードを設けてもよい。例えば、ウェアラブル端末装置１００が、複数のタイムゾーンでの時刻情報（世界各国の都市の時刻情報）を取得可能な機器であることが考えられる。その場合、複数のタイムゾーンの時刻情報を同時に表示してもよいが、図１０のＣ１に示したように表示される時刻情報は少数（狭義には１つ）であることが一般的であるため、適切なタイムゾーンを選択しなくてはならない。さらに、選択されるタイムゾーンが意図せず変化してしまうと、表示される時刻が大きく異なってしまうため好ましくない。
【０１１７】
よって、時刻表示モード内で表示対象都市を選択する設定コマンドを実行するのではなく、時刻表示モードの他にタイムゾーン設定モードを設けるとよい。この場合、タイムゾーン設定モードにおける設定コマンドが誤って実行されないように、設定モードへの遷移（設定モードを選択するモード選択コマンドの実行）は、通常モードへの遷移とは異なる操作により行われることが望ましい。
【０１１８】
一例としては、通常モード（上述した図１０〜図１３等のモード）への遷移は、ベゼル１５０の所与の設定位置の押下により行い、設定モードへの遷移はベゼル１５０とは異なる操作部（例えばボタンやリュウズ等）により行ってもよい。或いは、図６に示したような一体として構成されるベゼル１５０を用いる場合であれば、ベゼル１５０を引き出し可能（Ｚ軸正方向へ移動可能）に構成してもよい。押下（押し込み）操作はウェアラブル端末装置１００が何らかの物体に衝突した場合等にも偶発的に行われてしまう可能性があるが、引き出し操作は偶発的に行われる可能性が低いため、意図せずに設定モードへ移行してしまうことを抑止できる。
【０１１９】
図１４に、設定モード（タイムゾーン設定モード）の表示画像例を示す。図１４では、モード名を表す文字列ＴＩＭＥ  ＺＯＮＥ（Ｇ１）と、選択対象であるタイムゾーンのリスト表示（Ｇ２）とを表示している。図１４の例では、上下方向（Ｙ軸方向）にタイムゾーン（都市名）が並べて表示されるため、上下方向の設定位置（Ｐ１、Ｐ５）の押下と、リストの選択位置を変更する設定コマンドとを対応づけ、Ｐ１、Ｐ５に対応する表示位置にガイドオブジェクトＧ３、Ｇ４を表示している。ここでは、Ｐ１の押下により選択されるタイムゾーンをリスト中の１つ上のタイムゾーンに変更する設定コマンドを実行するため、ガイドオブジェクトＧ３は上方向の矢印を表示する。同様に、Ｐ５の押下により選択されるタイムゾーンをリスト中の１つ下のタイムゾーンに変更する設定コマンドを実行するため、ガイドオブジェクトＧ４は下方向の矢印を表示する。
【０１２０】
また、Ｐ１及びＰ５の押下により選択しているタイムゾーンを、実際の時刻情報の表示対象として決定するコマンドの実行を、Ｐ６の押下と対応づけ、Ｐ６に対応する表示位置に選択中のタイムゾーンを表示対象として確定させる旨を表す文字列ＳＥＬＥＣＴを含むガイドオブジェクトＧ５を表示する。また、タイムゾーン設定モードの終了を指示するコマンドの実行を、Ｐ３の押下と対応づけ、Ｐ３に対応する表示位置に元の画面（元のモード）に戻ることを表す文字列ＢＡＣＫを含むガイドオブジェクトＧ６を表示する。
【０１２１】
３．３  ガイドオブジェクトの変形例
図１０〜図１３を用いて表示画像の例、特にガイドオブジェクトの表示例を説明したが、表示画像は上述したものには限定されない。特に、本実施形態に係るウェアラブル端末装置１００では、ファームウェアのアップデート等によりモード数の増減が生じる可能性がある。或いは、既存のモードに対して新たな設定コマンドが追加されることも考えられる。そのため、モード数や設定コマンドが増えた場合には、ベゼル１５０の押下操作と、当該操作により実行されるコマンドとの対応関係、及び表示するガイドオブジェクトの内容も変更するとよい。
【０１２２】
具体的には、設定コマンドが増えた場合には、図１０のＣ２のＰ１、Ｐ５の設定位置のように、それまで設定コマンドと対応付けられていなかった設定位置に対して設定コマンドを対応付けるとともに、当該設定位置に対応する表示領域（それまではガイドオブジェクトも非表示であった領域）に、追加された設定コマンドに対応するガイドオブジェクトを表示すればよい。その際、追加されるコマンドと既存のコマンドの関連を考慮して、設定位置に対する操作と設定コマンドとの関係の再編を行ってもよい。具体的には、図１７を用いて後述するデータの更新処理を実行すればよい。
【０１２３】
また、ガイドオブジェクトの例として、図１０のＣ２５等に示したように文字列を含むオブジェクトや、図１４のＧ５、Ｇ６に示すように図形を含むオブジェクトを示したが、異なる変形実施も可能である。例えば、より表示を簡略化し、表示画面の視認性を高くすることを考慮するのであれば、ガイドオブジェクトは所定色の帯表示（設定位置に対応する表示領域を所定色で表示するオブジェクト）であってもよい。例えば、何らかの設定コマンドと対応付けられており、押下されることでコマンド実行が行われる設定位置については、対応する表示領域を第１の色で表示し、設定コマンドと対応付けられておらず、押下されてもコマンド実行が行われない設定位置については、対応する表示領域を第２の色（例えば背景色そのまま）で表示してもよい。この例では、コマンド内容を示すことはできないが、設定位置を押下した場合にコマンドが実行されるか否かがユーザーに対して明示されることになる。仮にベゼル１５０を押下したが表示画面が変化しなかった場合、そもそも設定コマンドが割り当てられておらず正常な動作であるのか、或いは設定コマンドは割り当てられているがウェアラブル端末装置１００の故障等により正常動作していないのか、或いは押下操作が不適切であったか（押し込み量が小さかったか）等、ユーザーがその要因を推定することは容易でない。その点を考慮すれば、押下したらコマンドが実行される（或いは押下してもコマンドが実行されない）設定位置が明示されることだけでも有用なインターフェースと言える。
【０１２４】
３．４  他のモード例
また、ウェアラブル端末装置１００のモードは図１０〜図１４を用いて上述したものには限定されず、他のモードを有してもよい。
【０１２５】
例えば、ウェアラブル端末装置１００は、所与の表示オブジェクト（狭義には画像）に対する移動コマンド、回転コマンド、サイジングコマンドを実行してもよい。具体的には、画像処理モードを有し、当該画像処理モードにおける設定コマンドとして、上記３つのコマンドを実行する。
【０１２６】
図１５Ａ（Ｈ１、Ｈ２）が移動コマンドを実行した場合の表示画像の変化例である。ここでの移動コマンドとは、オブジェクトＯＢを上下左右に並進移動させるコマンドであり、移動方向をベゼル１５０の各設定位置に対応させればよい。Ｈ１では、Ｐ１に上方向の移動、Ｐ３に右方向の移動、Ｐ５に下方向の移動、Ｐ６に左方向の移動、のそれぞれを行う移動コマンドを対応づけ、各設定位置に対応する表示位置に移動方向を示すガイドオブジェクトＨ１１〜Ｈ１４を表示する。例えば、設定位置Ｐ３が押下された場合には、Ｈ２に示したように表示されるオブジェクトＯＢはＨ１に比べて右方向に移動した状態で表示される。
【０１２７】
図１５Ｂ（Ｈ３、Ｈ４）が回転コマンドを実行した場合の表示画像の変化例である。ここでの回転コマンドとは、オブジェクトＯＢを回転するコマンドであり、回転方向をベゼル１５０の設定位置に対応させる。Ｈ２では、Ｐ２に反時計回りでの回転、Ｐ４に時計回りでの回転を対応づけ、各設定位置に対応する表示位置に回転方向を示すガイドオブジェクトＨ３１、Ｈ３２を表示する。なお、回転量は一定値としてもよいし、他の設定位置の押下操作により回転量を変更する設定コマンドを実行してもよい。例えば、設定位置Ｐ４が押下された場合には、Ｈ４に示したように表示されるオブジェクトＯＢはＨ３に比べて時計回りに回転した状態で表示される。
【０１２８】
図１５Ｃ（Ｈ５、Ｈ６）がサイジングコマンドを実行した場合の表示画像の変化例である。ここでのサイジングコマンドは画像の拡大縮小を行うコマンドであり、Ｈ５では、Ｐ２に縮小（ズームダウン、ズームアウト）を対応づけ、Ｐ４に拡大（ズームアップ、ズームイン）を対応づけ、各設定位置に対応する表示位置に拡大、縮小を示すガイドオブジェクトＨ５１、Ｈ５２を表示する。例えば、設定位置Ｐ２が押下された場合には、Ｈ６に示したように表示されるオブジェクトＯＢはＨ５に比べて縮小された状態で表示される。なお、図１４を用いて上述したログ（履歴グラフ）の表示変更も、当該履歴グラフを画像であると捉えれば画像のサイジングコマンドを実行していると考えることが可能である。また、拡大縮小の倍率（変倍率）は一定値としてもよいし、他の設定位置の押下操作により変倍率を変更する設定コマンドを実行してもよい。
【０１２９】
例えば、ウェアラブル端末装置１００の小さい表示部１２０で画像を閲覧する場合、画像全体を表示部１２０に表示するだけでは閲覧しやすいインターフェースは実現できない。その点、拡大縮小を可能にすれば画像の所望の部分を適切に閲覧できるようになる。また、画像を拡大した場合には画像の一部しか閲覧できない可能性もあるため、所望の領域を閲覧するための並進移動、回転移動を行うことによる利点は大きい。
【０１３０】
また、上述したアラームモードでは音による報知を行うことが考えられる。また、ウェアラブル端末装置１００に対する操作があった場合、そのフィードバックとして操作音を鳴らす可能性もある。或いは、近年のウェアラブル端末装置１００は、メール受信の通知や音楽再生が可能な機器も増えている。
【０１３１】
そのため、ウェアラブル端末装置１００から何らかの音を出力することは一般的であり、その音量を調整することに対する要求がある。よって、ウェアラブル端末装置１００は音量調整コマンドを実行してもよい。具体的には、音調調整モードを有し、当該音量調整モードにおける設定コマンドとして、音量調整コマンドを実行してもよい。
【０１３２】
図１６が音量調整コマンドを実行した場合の表示画像の変化例である。Ｐ１に音量アップ、Ｐ５に音量ダウンを対応づけ、各設定位置に対応する表示位置に音量変化を示すガイドオブジェクトＪ１１、Ｊ１２を表示する。また、音量の変化幅は一定値としてもよいし、他の設定位置の押下操作により変化幅を変更する設定コマンドを実行してもよい。
【０１３３】
４．記憶部に記憶されるデータのデータ構造例
次に記憶部１４０に記憶され、処理部１１０で読み出されて使用される情報について説明する。本実施形態に係るウェアラブル端末装置１００の処理部１１０では、ベゼル１５０の各設定位置に対する操作が行われた場合に、当該操作に応じたコマンドを実行する必要がある。そのためには、検出部１３０での検出結果と、実行するコマンドとの対応関係が明確でなくてはならず、当該対応関係を規定する情報を記憶部１４０に記憶しておくとよい。
【０１３４】
よって、記憶部１４０はコマンド特定情報を記憶してもよい。コマンド特定情報は、上述したように操作に基づいてコマンドを特定するための情報であり、狭義にはモードと、ベゼル１５０に対する操作とが決定された場合に、実行するコマンドを一意に特定するための情報である。
【０１３５】
図１７にコマンド特定情報の一例を示す。コマンド特定情報は、モード名と、操作に対応して実行する設定コマンドとを対応付けた情報である。なお、ここでは図８の例に示したように、ベゼル１５０には６つの設定位置が設定される例を示している。
【０１３６】
図１７におけるＮＵＬＬは対応する操作を行ってもコマンドが実行されないことを表す。各モードにおける設定コマンドについては、図１０〜図１３の表示画像に示した例と同様にしている。処理部１１０では、図１７に示したコマンド特定情報、及び不図示のガイドオブジェクト情報（ガイドオブジェクトの表示態様等を規定する情報）に基づいて表示画像を生成してもよい。例えば、現在のモードが高度モードである場合には、図１７のコマンド特定情報を読み込むことで第２、第４の設定位置に対応する表示位置にガイドオブジェクトを表示する必要があるとわかる。よって、第２の設定位置に対応するガイドオブジェクト（例えば文字列"ZOOM DOWN"を含むオブジェクト）、及び第４の設定位置に対応するガイドオブジェクト（例えば文字列"ZOOM UP"を含むオブジェクト）の情報をガイドオブジェクト情報から特定し、特定されたガイドオブジェクトが対応する表示位置に表示される表示画像を生成し、表示部１２０に表示させればよい。
【０１３７】
さらに、処理部１１０は、各モードにおいて所与の設定位置の押下が検出された場合には、図１７から特定されるコマンドの実行を行う。例えば、時間モードである場合に、第３の設定位置の押下が検出された場合には、高度モードを選択するモード選択コマンドの実行、すなわち高度モードへの遷移を行えばよい。ただし、各モードでの操作と設定コマンドとの関係は図１７に限定されず、種々の変形実施が可能である。
【０１３８】
なお、以上の本実施形態では図１７に示したように、複数の設定位置のいずれかの押下を検出部１３０で検出する例を示した。しかし、検出部１３０で検出する操作はこれに限定されない。例えば、２以上の設定位置が同時に押下された場合に、それぞれが単独で押下される操作とは異なる操作として検出してもよい。或いは、押下が所定時間以上継続した場合（長押しされた場合）に、押下が所定時間未満である場合とは異なる操作として検出してもよい。或いは、図６のような全体が一体形成されるベゼル１５０であれば、ベゼル全体をＺ軸負方向に押し込み可能に構成しておき、当該押し込み操作を検出してもよい。その他、ベゼル１５０を用いた操作は種々の変形実施が可能である。
【０１３９】
なお、以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。またウェアラブル端末装置の構成、動作も本実施形態で説明したものに限定されず、種々の変形実施が可能である。
【符号の説明】
【０１４０】
１００…ウェアラブル端末装置、１１０…処理部、１２０…表示部、１３０…検出部、
１４０…記憶部、１５０…ベゼル（操作部、回転部）、１５１…弾性部材、
１５２…接点、１６０…筐体、１６１…電極、１６２…基部、１６３…本体部、
１６４…柱状部材、１７０…ガラス、１８０…バンド部
【図１】
2017079038.tif 000003
【図２】
2017079038.tif 000004
【図３】
2017079038.tif 000005
【図４】
2017079038.tif 000006
【図５】
2017079038.tif 000007
【図６】
2017079038.tif 000008
【図７】
2017079038.tif 000009
【図８】
2017079038.tif 000010
【図９】
2017079038.tif 000011
【図１０】
2017079038.tif 000012
【図１１】
2017079038.tif 000013
【図１２】
2017079038.tif 000014
【図１３】
2017079038.tif 000015
【図１４】
2017079038.tif 000016
【図１５】
2017079038.tif 000017
【図１６】
2017079038.tif 000018
【図１７】
2017079038.tif 000019